(57)【要約】      （修正有）【課題】様々な方向からの揺れに対抗できる包装箱を提供する。【解決手段】包装箱の上部に４つの凸部を互いに角度を有するように設けるとともに，包装箱の下部にその凸部がはまる窪みを設けることで，あらゆる方向の揺れに対して，横ずれや荷崩れを防止できるという知見に基づくものである。この包装箱の４つの隅板１９ａ，１９ｂ，１９ｃ，１９ｄは，それぞれ，上端部から天板１３を超えて突き出す凸部２１ａ，２１ｂ，２１ｃ，２１ｄを有し，下端部に設けられ，凸部２１ａ，２１ｂ，２１ｃ，２１ｄと係り合う形状の凹部２３ａ，２３ｂ，２３ｃ，２３ｄを有する。【選択図】図１
0003162999.tif 000002
【実用新案登録請求の範囲】
【請求項１】
八角形又は六角形の底板（１１）と，
前記底板と同形の天板（１３）と，
前記底板（１１）の４つの斜辺（１５ａ，１５ｂ，１５ｃ，１５ｄ）と，前記底板（１１）の４つの斜辺（１５ａ，１５ｂ，１５ｃ，１５ｄ）と対応する前記天板（１３）の４つの斜辺（１７ａ，１７ｂ，１７ｃ，１７ｄ）とをそれぞれ接続する４つの隅板（１９ａ，１９ｂ，１９ｃ，１９ｄ）とを有する包装箱であって，
前記４つの隅板（１９ａ，１９ｂ，１９ｃ，１９ｄ）は，それぞれ，上端部から前記底板（１１）を超えて突き出す凸部（２１ａ，２１ｂ，２１ｃ，２１ｄ）を有するとともに，下端部に設けられ，前記凸部（２１ａ，２１ｂ，２１ｃ，２１ｄ）と係り合う形状の凹部（２３ａ，２３ｂ，２３ｃ，２３ｄ）を有することを特徴とする，
包装箱。
【請求項２】
前記凸部（２１ａ，２１ｂ，２１ｃ，２１ｄ）は，台形状の突起部を有する，請求項１に記載の包装箱。
【請求項３】
前記４つの隅板（１９ａ，１９ｂ，１９ｃ，１９ｄ）を前記天板（１３）に平行に切断できるカットテープ（２５）を有する，請求項１に記載の包装箱。
【請求項４】
前記包装箱の天板（１３）及び天板（１３）は八角形であり，
前記包装箱は，
前記底板（１１）の対向する側縁とそれぞれ接続され，前記包装箱の正面及び裏面を構成する２つの側板（３１，３３）と，
前記天板（１３）の対向する端縁とそれぞれ接続された２つの第１外フラップ（３５ａ，３５ｂ）と，
前記底板（１１）の対向する端縁とそれぞれ接続された２つの第２外フラップ（３７ａ，３７ｂ）と，
前記４つの隅板（１９ａ，１９ｂ，１９ｃ，１９ｄ）のそれぞれと接続された４つの内フラップ（３９ａ，３９ｂ，３９ｃ，３９ｄ）と，
をさらに有する，
請求項１に記載の包装箱。
【請求項５】
前記底板は，２つの底板用フラップ（１１ａ，１１ｂ）からなり，
前記天板は，２つの天板用フラップ（１３ａ，１３ｂ）からなり，
前記包装箱は，
前記２つの底板用フラップ（１１ａ，１１ｂ）の側縁及び前記２つの天板用フラップ（１３ａ，１３ｂ）の側縁とそれぞれ接続され，前記包装箱の正面及び裏面を構成する２つの側板（３１，３３）と，
前記４つの隅板（１９ａ，１９ｂ，１９ｃ，１９ｄ）のうち２つの隅板（１９ａ，１９ｂ）と接続され，前記段ボールの左側面を形成する左側面板（５１）と，
前記４つの隅板（１９ａ，１９ｂ，１９ｃ，１９ｄ）のうち２つの隅板（１９ｃ，１９ｄ）と接続され，前記段ボールの右側面を形成する右側面板（５３）と，
前記左側面板（５１）に取り付けられたフラップであって天板（１３ａ，１３ｂ）と重なる第１の天板側フラップ（５５）と，
前記左側面板（５１）に取り付けられたフラップであって底板（１１ａ，１１ｂ）と重なる第１の底板側フラップ（５７）と，
前記右側面板（５３）に取り付けられたフラップであって天板（１３ａ，１３ｂ）と重なる第２の天板側フラップ（５９）と，
前記右側面板（５３）に取り付けられたフラップであって底板（１１ａ，１１ｂ）と重なる第２の底板側フラップ（６１）と，
を有する請求項１に記載の包装箱。
【考案の詳細な説明】
【技術分野】
【０００１】
この考案は，スタッキング可能な包装箱に関する。具体的に説明すると，この考案は，包装箱の上部に４つの突起を斜めに設けるとともに，包装箱の下部にその突起がはまる窪みを設けることで，横ずれや荷崩れを防止できる包装箱に関する。
【背景技術】
【０００２】
特開２００８−１１０７０７８６号公報（特許文献１）には，段積みした際の横ずれや荷崩れを防止するできる包装箱が開示されている。この包装箱は，包装箱の上端縁に台形状の係合凸部が設けられるとともに，包装箱の下端縁に台形状の係合凹部が設けられる。
【０００３】
実用新案登録第３０４８９５５号公報（特許文献２）には，八角形の天板を有する包装箱が開示されている。この断面が八角形の包装箱は，周壁の隅部がつぶれにくく，内容物を保護できる（同文献の段落［００２７］）。
【先行技術文献】
【特許文献】
【０００４】
【特許文献１】特開２００８−１１０７０７８６号公報
【特許文献２】実用新案登録第３０４８９５５号公報
【考案の概要】
【考案が解決しようとする課題】
【０００５】
上記の特許文献１に開示された包装箱は，確かに，係合凸部と係合凹部が係り合うため，横ずれを防止することができる。しかしながら，縦方向の揺れに対しては，この係合部が機能しない。このため，特許文献１に開示された包装箱は，縦方向の揺れに対抗できない。  
【０００６】
特許文献１に開示された包装箱を店頭において積載した場合，縦方向からの揺れには耐えられない。このため，この包装箱を複数積載した状態で最上段の包装箱を開封して商品をディスプレイすると，商品が荷崩れするおそれがある。
【０００７】
そこで，この考案は，様々な方向からの揺れに対抗できる包装箱を提供することを目的とする。また，この考案は，複数の包装箱を積載した状態で，最上段の包装箱に収容される商品をディスプレイしやすい包装箱を提供することを目的とする。
【課題を解決するための手段】
【０００８】
この考案は，包装箱の上部に４つの凸部を互いに角度を有するように設けるとともに，包装箱の下部にその凸部がはまる窪みを設けることで，あらゆる方向の揺れに対して，横ずれや荷崩れを防止できるという知見に基づくものである。
【０００９】
また，この包装箱は，あらゆる方向の揺れに対して対抗できるため，店頭において複数の包装箱を積載した場合であっても荷崩れの心配なく，最上段に位置する商品をディスプレイできる。
【００１０】
この考案の第１の側面は，スタッキング可能な包装箱に関する。この包装箱は，少なくとも，八角形又は六角形の底板１１と，底板と同形の天板１３と，４つの隅板１９ａ，１９ｂ，１９ｃ，１９ｄとを有する。
【００１１】
４つの隅板１９ａ，１９ｂ，１９ｃ，１９ｄは，底板１１の４つの斜辺１５ａ，１５ｂ，１５ｃ，１５ｄと，それらに対応する天板１３の４つの斜辺１７ａ，１７ｂ，１７ｃ，１７ｄと，をそれぞれ接続する。
【００１２】
そして，この包装箱の４つの隅板１９ａ，１９ｂ，１９ｃ，１９ｄは，それぞれ，隅板１９ａ，１９ｂ，１９ｃ，１９ｄの上端部から天板１３を超えて突き出す凸部２１ａ，２１ｂ，２１ｃ，２１ｄを有する。そして，この包装箱は，下端部に設けられ，凸部２１ａ，２１ｂ，２１ｃ，２１ｄと係り合う形状の凹部２３ａ，２３ｂ，２３ｃ，２３ｄを有する。
【００１３】
このように，この考案は，凸部及び凹部が，底板１１の斜辺と天板１３の斜辺とを接続する隅板に設けられるため，それぞれの凸部（又はそれぞれの凹部）が角度を有することとなる。これにより，この考案の包装箱は，複数個の包装箱を重ねた際に，あらゆる方向からの揺れに対して対抗できる。
【００１４】
この包装箱の好ましい態様は，先に説明した凸部２１ａ，２１ｂ，２１ｃ，２１ｄが台形状の突起部を有するものである。凸部が台形状の突起部を有するため，比較的簡単に凸部を作成することができる。また，凸部が台形状の突起部を有するため，比較的容易に凸部を凹部とを係合させることができ，複数の包装箱を積載しやすくなる。
【００１５】
この包装箱の好ましい態様は，４つの隅板１９ａ，１９ｂ，１９ｃ，１９ｄを天板１３に平行に切断できるカットテープ２５を有するものである。
【００１６】
この包装箱は，複数の包装箱を積載した状態で，最上段の包装箱を，カットテープ２５を用いて開封できる。そして，この包装箱は，商品を開示した状態のまま店頭で展示できる。この場合も，最上段の包装箱の下端縁に位置する凹部が下段の包装箱の凸部と係り合うため，最上段の商品が荷崩れを起こす事態を防止できる。
【００１７】
この包装箱の好ましい態様は，包装箱の底板１１及び天板１３が八角形のものである。そして，この包装箱は，２つの側板３１，３３，２つの第１外フラップ３５ａ，３５ｂ，第２外フラップ３７ａ，３７ｂ及び４つの内フラップ３９ａ，３９ｂ，３９ｃ，３９ｄを有する。
【００１８】
２つの側板３１，３３は，天板１３の対向する側縁とそれぞれ接続され，包装箱の正面及び裏面を構成する部分である。第１外フラップ３５ａ，３５ｂは，天板１３の対向する端縁とそれぞれ接続された２つのフラップである。第２外フラップ３７ａ，３７ｂは，底板１１の対向する端縁とそれぞれ接続された２つのフラップである。内フラップ３９ａ，３９ｂ，３９ｃ，３９ｄは，４つの隅板１９ａ，１９ｂ，１９ｃ，１９ｄのそれぞれと接続された内フラップである。内フラップは，包装箱が組み立てられる際に，外フラップの外側に位置するフラップである。
【００１９】
なお，図５に示されるように，図１において外フラップ３５ａ，３５ｂ，３７ａ，３７ｂを内フラップとし，内フラップ３９ａ，３９ｂ，３９ｃ，３９ｄを外フラップとしても構わない。
【００２０】
この考案は，底板が，２つの底板用フラップ１１ａ，１１ｂからなり，天板が，２つの天板用フラップ１３ａ，１３ｂからなるものであってもよい（図８）。
【００２１】
この包装箱は，包装箱の正面及び裏面を構成する２つの側板３１，３３と，包装箱の左側面を形成する左側面板５１と，包装箱の右側面を形成する右側面板５３と，第１の天板側フラップ５５と，第１の底板側フラップ５７と，第２の天板側フラップ５９と，第２の底板側フラップ６１と，を有する。
【００２２】
２つの側板３１，３３は，２つの底板用フラップ１１ａ，１１ｂの側縁及び２つの天板用フラップ１３ａ，１３ｂの側縁とそれぞれ接続されて包装箱の正面及び裏面を構成する。左側面板５１は，２つの隅板１９ａ，１９ｂと接続されて包装箱の左側面を形成する。右側面板５３は，２つの隅板１９ｃ，１９ｄと接続されて包装箱の右側面を形成する。第１の天板側フラップ５５は，左側面板５１に取り付けられたフラップであって天板１３ａ，１３ｂと重なるものである。第１の底板側フラップ５７は，左側面板５１に取り付けられたフラップであって底板１１ａ，１１ｂと重なるものである。第２の天板側フラップ５９は，右側面板５３に取り付けられたフラップであって天板１３ａ，１３ｂと重なるものである。第２の底板側フラップ６１は，右側面板５３に取り付けられたフラップであって底板１１ａ，１１ｂと重なるものである。
【考案の効果】
【００２３】
この考案によれば，包装箱の上部に４つの凸部を互いに角度を有するように設けるとともに，包装箱の下部にその凸部がはまる窪みを設けることで，あらゆる方向の揺れに対して，横ずれや荷崩れを防止できる。
【００２４】
また，この考案によれば，あらゆる方向の揺れに対して対抗できるため，店頭において複数の包装箱を積載した場合であっても荷崩れの心配なく，最上段に位置する商品をディスプレイできる。  
【図面の簡単な説明】
【００２５】
【図１】図１は，この考案の包装箱の展開図の例である
【図２】図２は，この考案の包装箱の組み立て過程を示す図である。
【図３】図３は，組み立て後の包装箱の外観図である。
【図４】図４は，この包装箱をスタッキングした際の様子を示す図である。
【図５】図５は，図１の包装箱において内フラップと外フラップとを入れ替えたものの外観図である。
【図６】図６は，図１の包装箱において糊代片が天板側に設けられるものの例である。
【図７】図７は，天板及び底板の形状が六角形の包装箱を説明するための展開図である。
【図８】図８は，図１とは別の態様の包装箱の展開図である。
【図９】図９は，図８に示される展開図を組み立てた際の包装箱の外観を示す。
【図１０】図１０は，図１において側板が枠のみのものの例を示す図である。
【図１１】図１１は，図８において側板，左側板及び右側板が枠のみのものの例を示す図である。
【考案を実施するための形態】
【００２６】
次に，図面を用いてこの考案の包装箱を具体的に説明する。この考案は図面に描画された包装箱に限定されるものではない。この考案は，以下に説明する包装箱から自明な範囲で適宜改変を加えたものも含む。  
【００２７】
この考案の第１の側面は，スタッキング可能な包装箱に関する。図１は，この考案の包装箱の展開図の例である。図中点線は，谷折り線，隠れた部分，又は取り外し可能な部分を意味する。この包装箱は，少なくとも，八角形又は六角形の底板１１と，底板と同形の天板１３と，４つの隅板１９ａ，１９ｂ，１９ｃ，１９ｄとを有する。図中符号４１は，糊代片を意味する。図１に示されるように，この包装箱は，１枚のパーツ（段ボールブランク）から構成されるものが好ましい。包装箱の例は，段ボール箱である。具体的な段ボール箱は，ＪＩＳ  Ｚ  １５０７に規定されるコード番号０２１０の旧Ａ式段ボール箱である。
【００２８】
図２は，この考案の包装箱の組み立て過程を示す図である。図２に示される状態は，天板１３が開放されている。そして，天板１３を糊代片４１に接着することで，包装箱が形成される。図３は，組み立て後の包装箱の外観図である。図４は，この包装箱をスタッキングした際の様子を示す図である。
【００２９】
包装箱が組み立てられた際に，天板１３と底板１１とは，およそ平行な空間位置関係となる。底板１１及び天板１３の形状は，八角形又は六角形である。底板１１及び天板１３は，八角形であることが好ましい。底板１１及び天板１３の形状が八角形又は六角形であるとは，厳密な意味での八角形又は六角形である必要はない。すなわち，当業者が底板１１及び天板１３の形状が八角形又は六角形であると認識しうるような形状であればよい。
【００３０】
この考案は，底板１１に４つの斜辺１５ａ，１５ｂ，１５ｃ，１５ｄが存在する。これらの斜辺は，底板１１の対向する側縁４３ａ，４３ｂと垂直ではない。そして，４つの斜辺１５ａ，１５ｂ，１５ｃ，１５ｄと接続される４つの隅板１９ａ，１９ｂ，１９ｃ，１９ｄに天板１３を超えて突き出す凸部２１ａ，２１ｂ，２１ｃ，２１ｄを有する。すると，４つの凸部２１ａ，２１ｂ，２１ｃ，２１ｄは，いずれも側縁４３ａ，４３ｂと平行でも垂直でもない。さらに，４つの凸部２１ａ，２１ｂ，２１ｃ，２１ｄは，それぞれ隣接する凸部となす角が９０度以外の角度であることが好ましい。このように隣接する凸部が直角以外の角を有するため，この包装箱は，あらゆる方向からの揺れに対して対抗できることとなる。
【００３１】
たとえば，凸部２１ａと凸部２１ｂとのなす角をα［度］とし，凸部２１ａと凸部２１ｄとのなす角を１８０−α［度］とする。この場合，αの例は，４５以上９０以下であり，５０以上８０以下でもよい。具体的なαの例は６０である。
【００３２】
４つの隅板１９ａ，１９ｂ，１９ｃ，１９ｄは，底板１１の４つの斜辺１５ａ，１５ｂ，１５ｃ，１５ｄと，それらに対応する天板１３の４つの斜辺１７ａ，１７ｂ，１７ｃ，１７ｄと，をそれぞれ接続する。そして，段ボールを組み立てた際に，４つの隅板１９ａ，１９ｂ，１９ｃ，１９ｄは，底板に垂直となる。
【００３３】
そして，この包装箱の４つの隅板１９ａ，１９ｂ，１９ｃ，１９ｄは，それぞれ，上端部から天板１３を超えて突き出す凸部２１ａ，２１ｂ，２１ｃ，２１ｄを有する。そして，この包装箱は，下端部に設けられ，凸部２１ａ，２１ｂ，２１ｃ，２１ｄと係り合う形状の凹部２３ａ，２３ｂ，２３ｃ，２３ｄを有する。
【００３４】
凸部２１ａ，２１ｂ，２１ｃ，２１ｄは，隅板１９ａ，１９ｂ，１９ｃ，１９ｄの上辺全体に渡って設けられてもよい。また，凸部２１ａ，２１ｂ，２１ｃ，２１ｄは，隅板１９ａ，１９ｂ，１９ｃ，１９ｄの上辺の一部に設けられてもよい。
【００３５】
図１に示すように，凸部２１ａ，２１ｂ，２１ｃ，２１ｄは，同一の形状であってもよいし，異なる形状であってもよい。凸部２１ａ，２１ｂ，２１ｃ，２１ｄが異なる形状である場合，揺れに対する対抗性が強まるため好ましい。さらに，凸部２１ａ，２１ｂ，２１ｃ，２１ｄが異なる形状である場合，包装箱の嗜好性が高まるため好ましい。
【００３６】
凸部２１ａ，２１ｂ，２１ｃ，２１ｄの高さは，包装箱の大きさによって適宜調整すればよい。一方，凸部が低いと凸部と凹部が係り合った際の対抗力が弱くなり，凸部が高いと凸部と凹部とを組み合わせるのが容易ではなくなる。さらに，凸部が高いと，凸部自体が折れ安くなる。このため，凸部２１ａ，２１ｂ，２１ｃ，２１ｄの高さの例は，５ｍｍ以上３ｃｍ以下である。凸部２１ａ，２１ｂ，２１ｃ，２１ｄの高さは，８ｍｍ以上２ｃｍ以下でもよい。凸部２１ａ，２１ｂ，２１ｃ，２１ｄの高さは，同じであってもよいし，１つ又は２つの凸部の高さが異なるものであってもよい。さらに，全ての凸部の高さが異なってもよい。
【００３７】
凸部２１ａ，２１ｂ，２１ｃ，２１ｄは，台形状の突起部を有することが好ましい。台形状の突起部であれば比較的簡単に凸部を作成することができる。このため段ボールの製造が容易になる。また，凸部が台形状の突起部を有するため，比較的容易に凸部を凹部とを係合させることができ，複数の段ボールを積載しやすくなる。
【００３８】
図１に示されるように，凸部２１ａ，２１ｂ，２１ｃ，２１ｄは，基礎となる台形の上にさらに台形が存在する形状であってもよい。
【００３９】
この包装箱の好ましい態様は，包装箱の底板１１及び天板１３が八角形のものである。そして，この包装箱は，２つの側板３１，３３，２つの第１外フラップ３５ａ，３５ｂ，第２外フラップ３７ａ，３７ｂ及び４つの内フラップ３９ａ，３９ｂ，３９ｃ，３９ｄを有する。
【００４０】
２つの側板３１，３３は，底板１１の対向する側縁とそれぞれ接続され，包装箱の正面及び裏面を構成する部分である。包装箱が組み立てられた場合，２つの側板３１，３３は，底板と垂直となる。第１外フラップ３５ａ，３５ｂは，天板１３の対向する端縁とそれぞれ接続された２つのフラップである。第２外フラップ３７ａ，３７ｂは，底板１１の対向する端縁とそれぞれ接続された２つのフラップである。内フラップ３９ａ，３９ｂ，３９ｃ，３９ｄは，４つの隅板１９ａ，１９ｂ，１９ｃ，１９ｄのそれぞれと接続された内フラップである。内フラップは，包装箱が組み立てられる際に，外フラップの外側に位置するフラップである。
【００４１】
なお，外フラップ３５ａ，３５ｂ，３７ａ，３７ｂを内フラップとし，内フラップ３９ａ，３９ｂ，３９ｃ，３９ｄを外フラップとしても構わない。図５は，図１の包装箱において内フラップと外フラップとを入れ替えたものの外観図である。
【００４２】
この包装箱の好ましい態様は，４つの隅板１９ａ，１９ｂ，１９ｃ，１９ｄを天板１３に平行に切断できるカットテープ２５を有するものである。なお，図１〜図３に示す例では，カットテープ２５が，包装箱の正面及び裏面を構成する２つの側板３１，３３をも合わせて切断する。
【００４３】
この包装箱は，複数の包装箱を積載した状態で，最上段の包装箱を，カットテープ２５を用いて開封できる。そして，この包装箱は，商品を開示した状態のまま店頭で展示できる。この場合も，最上段の包装箱の下端縁に位置する凹部が下段の包装箱の凸部と係り合うため，最上段の商品が荷崩れを起こす事態を防止できる。
【００４４】
図６は，図１の包装箱において糊代片が天板１３側に設けられるものの例である。また，図６に示される包装箱は，隅板１９ａ，１９ｂ，１９ｃ，１９ｄの上方部分に手指を挿入するための孔が設けられている。
【００４５】
図７は，天板及び底板の形状が六角形の段ボールを説明するための展開図である。図７に示される例では，天板及び底板の形状が六角形である。この場合も包装箱の上部に４つの凸部を互いに角度を有するように設けることができるので，揺れに対抗できる段ボールを得ることができる。
【００４６】
図８は，図１とは別の態様の包装箱の展開図である。図８に示される包装箱は，底板が，２つの底板用フラップ１１ａ，１１ｂからなり，天板が，２つの天板用フラップ１３ａ，１３ｂからなるものである。この態様の包装箱についても，先に説明した包装箱の構成を適宜採用することができる。
【００４７】
この包装箱は，包装箱の正面及び裏面を構成する２つの側板３１，３３と，段ボールの左側面を形成する左側面板５１と，段ボールの右側面を形成する右側面板５３と，第１の天板側フラップ５５と，第１の底板側フラップ５７と，第２の天板側フラップ５９と，第２の底板側フラップ６１と，を有する。
【００４８】
２つの側板３１，３３は，２つの底板用フラップ１１ａ，１１ｂの側縁及び２つの天板用フラップ１３ａ，１３ｂの側縁とそれぞれ接続されて包装箱の正面及び裏面を構成する。左側面板５１は，２つの隅板１９ａ，１９ｂと接続されて段ボールの左側面を形成する。右側面板５３は，２つの隅板１９ｃ，１９ｄと接続されて段ボールの右側面を形成する。第１の天板側フラップ５５は，左側面板５１に取り付けられたフラップであって天板１３ａ，１３ｂと重なるものである。第１の底板側フラップ５７は，左側面板５１に取り付けられたフラップであって底板１１ａ，１１ｂと重なるものである。第２の天板側フラップ５９は，右側面板５３に取り付けられたフラップであって天板１３ａ，１３ｂと重なるものである。第２の底板側フラップ６１は，右側面板５３に取り付けられたフラップであって底板１１ａ，１１ｂと重なるものである。
【００４９】
天板側フラップ５５，５９は，天板の外側に設けられてもよいし，内側に設けられてもよい。底板側フラップ５７，６１は，底板の外側に設けられてもよいし，内側に設けられてもよい。図９は，図８に示される展開図を組み立てた際の包装箱の外観を示す。
【００５０】
図１の包装箱において，たとえば，側板３１，３２，及び隅板１９ａ，１９ｂ，１９ｃ，１９ｄのいずれか又は２つ以上は，枠のみであってもよい。図１０は，図１において側板３１，３２が枠のみのものの例を示す図である。
【００５１】
図８の包装箱において，たとえば，側板３１，３２，隅板１９ａ，１９ｂ，１９ｃ，１９ｄ，左側板５１，及び右側板５３のいずれか又は２つ以上は，枠のみであってもよい。図１１は，図８において側板３１，３２，左側板５１，及び右側板５３が枠のみのものの例を示す図である。この包装箱は，隅板１９ａ，１９ｂ，１９ｃ，１９ｄが枠のみでないため，凸部と凹部が係り合った場合でも十分な耐性を発揮できる。
【産業上の利用可能性】
【００５２】
この考案は，製紙業の分野にて利用されうる。  
【符号の説明】
【００５３】
１１  底板
１１ａ，１１ｂ  底板用フラップ
１３  天板
１３ａ，１３ｂ  天板用フラップ
１５ａ，１５ｂ，１５ｃ，１５ｄ  底板の斜辺
１７ａ，１７ｂ，１７ｃ，１７ｄ  天板の斜辺
２１ａ，２１ｂ，２１ｃ，２１ｄ  凸部
２３ａ，２３ｂ，２３ｃ，２３ｄ  凹部
２５  カットテープ
３５ａ，３５ｂ  第１外フラップ
３７ａ，３７ｂ  第２外フラップ
３９ａ，３９ｂ，３９ｃ，３９ｄ  内フラップ
４１  糊代片
５１  左側面板
５３  右側面板
５５  第１の天板側フラップ
５７  第１の底板側フラップ
５９  第２の天板側フラップ
６１  第２の底板側フラップ
【図１】
0003162999.tif 000003
【図２】
0003162999.tif 000004
【図３】
0003162999.tif 000005
【図４】
0003162999.tif 000006
【図５】
0003162999.tif 000007
【図６】
0003162999.tif 000008
【図７】
0003162999.tif 000009
【図８】
0003162999.tif 000010
【図９】
0003162999.tif 000011
【図１０】
0003162999.tif 000012
【図１１】
0003162999.tif 000013